(57)【要約】【課題】機器をより確実に保護できるようにすると共に、コネクタ使用時の利便性を向上させる。【解決手段】携帯型音楽再生装置１の本体２を覆う本体収納部３１と、コネクタ用キャップ４を覆うコネクタ収納部３２とが一体成形されていることにより、携帯型音楽再生装置１のほぼ全体を保護することができ、また、コネクタ収納部３２に対して所定の外力が加えられたときに、コネクタ用キャップ４を外部に露出させるための開口部３７が設けられていることにより、コネクタ３を必要なときだけ容易に露出させることができ、くわえて、開口部３７が、角のない形状であることにより、コネクタ３を露出するときに開口部３７に加わる力が開口部３７の一部分に集中することを防いで開口部３７が裂けるの防止することができ、かくして機器をより確実に保護し得ると共に、コネクタ使用時の利便性を向上させることができる。【選択図】図８
2007281632.tif 000002
【特許請求の範囲】
【請求項１】
本体の端部にコネクタが設けられた機器を収納する収納ケースであって、
上記本体を覆う本体収納部と、
上記本体収納部と一体成形され、上記コネクタを覆うコネクタ収納部と
を具え、
上記本体収納部と上記コネクタ収納部との境界部分に、上記コネクタ収納部に対して所定の外力が加えられたときに当該コネクタ収納部が上記コネクタから剥離するようにして当該コネクタを外部に露出させるための、角がない形状の開口部が形成されている
ことを特徴とする収納ケース。
【請求項２】
上記コネクタには、当該コネクタを保護する蓋部が着脱可能に取り付けられ、
上記コネクタ収納部は、上記蓋部が取り付けられた状態の上記コネクタを覆う
ことを特徴とする請求項１に記載の収納ケース。
【請求項３】
上記開口部の縁が、他の部分より厚く形成されている
ことを特徴とする請求項１に記載の収納ケース。
【請求項４】
上記機器の本体に操作部が設けられ、
上記本体収納部には、上記操作部を覆う位置に上記操作部の形状に合わせた凸部が形成されている
ことを特徴とする請求項１に記載の収納ケース。
【請求項５】
上記機器の本体に操作部が設けられ、
上記本体収納部には、上記操作部を露出させるための孔が設けられている
ことを特徴とする請求項１に記載の収納ケース。
【請求項６】
上記機器の本体に表示部が設けられ、
上記本体収納部には、上記表示部を露出させるための孔が設けられている
ことを特徴とする請求項１に記載の収納ケース。
【請求項７】
上記機器の本体にストラップを取り付けるためのストラップ用孔が設けられ、
上記本体収納部には、上記ストラップ用孔を露出させるための孔が設けられている
ことを特徴とする請求項１に記載の収納ケース。
【請求項８】
上記機器の本体にイヤホン端子が設けられ、
上記本体収納部には、上記イヤホン端子を露出させるための孔が設けられている
ことを特徴とする請求項１に記載の収納ケース。
【請求項９】
端部にコネクタが設けられた本体と、
上記本体及び上記コネクタを収納する収納ケースと
を具え、
上記収納ケースは、
上記本体を覆う本体収納部と、上記本体収納部と一体成形され、上記コネクタを覆うコネクタ収納部とでなり、上記本体収納部と上記コネクタ収納部との境界部分に、上記コネクタ収納部に対して所定の外力が加えられたときに当該コネクタ収納部が上記コネクタから剥離するようにして当該コネクタを外部に露出させるための、角がない形状の開口部が形成されている
ことを特徴とする収納ケース付きの機器。
【発明の詳細な説明】
【技術分野】
【０００１】
本発明は収納ケース及び収納ケース付きの機器に関し、例えば、携帯型電子機器を収納する収納ケースに適用して好適なものである。
【背景技術】
【０００２】
従来、この種の収納ケースとしては、例えば、袋の口を携帯型電子機器の挿入口とする袋状の収納ケースが提案されている（例えば特許文献１参照）。
【特許文献１】実用新案登録第３１１３４６５号公報（第３図）
【発明の開示】
【発明が解決しようとする課題】
【０００３】
ところで、携帯型電子機器の多くは、その本体に、外部機器などと接続するためのコネクタが設けられている。このため収納ケースに収納した携帯型電子機器のコネクタを使用するには、わざわざ携帯型電子機器を収納ケースから取り出さなければならなかった。
【０００４】
このような問題を解決するため、コネクタを常に露出させる開口部が設けられている収納ケースもあるが、この場合、当然のことながら、収納時にコネクタを保護することはできない。
【０００５】
このように、従来の収納ケースでは、電子機器の保護と電子機器のコネクタを使用するときの利便性との両方を兼ね備えることができなかった。
【０００６】
本発明は以上の点を考慮してなされたもので、機器をより確実に保護し得ると共に、コネクタ使用時の利便性を向上させ得る収納ケース及び収納ケース付きの機器を提案しようとするものである。
【課題を解決するための手段】
【０００７】
かかる課題を解決するため本発明においては、本体の端部にコネクタが設けられた機器を収納する収納ケースに、本体を覆う本体収納部と、本体収納部と一体成形され、コネクタを覆うコネクタ収納部とを設け、本体収納部とコネクタ収納部との境界部分に、コネクタ収納部に対して所定の外力が加えられたときに当該コネクタ収納部がコネクタから剥離するようにして当該コネクタを外部に露出させるための、角がない形状の開口部を形成するようにした。
【０００８】
このように、機器の本体を覆う本体収納部と、本体の端部に設けられたコネクタを覆うコネクタ収納部とが一体成形されていることにより、機器の本体及びコネクタを保護することができ、また、コネクタ収納部に対して所定の外力が加えられたときにコネクタを外部に露出させる開口部を設けたことにより、機器を収納したままコネクタのみを必要なときだけ容易に露出させることができる。
【０００９】
くわえて、コネクタを外部に露出させるための開口部が、角がない形状をなしていることにより、コネクタを露出するときに開口部に加わる力が開口部の一部分に集中するのを防いで開口部が裂けるのを防止することができる。
【発明の効果】
【００１０】
本発明によれば、機器の本体を覆う本体収納部と、本体の端部に設けられたコネクタを覆うコネクタ収納部とが一体成形されていることにより、機器の本体及びコネクタを保護することができ、また、コネクタ収納部に対して所定の外力が加えられたときにコネクタを外部に露出させる開口部を設けたことにより、機器を収納したままコネクタのみを必要なときだけ容易に露出させることができ、くわえて、コネクタを外部に露出させるための開口部が、角がない形状をなしていることにより、コネクタを露出するときに開口部に加わる力が開口部の一部分に集中するのを防いで開口部が裂けるのを防止することができ、かくして機器をより確実に保護し得ると共に、コネクタ使用時の利便性を向上させ得る収納ケース及び収納ケース付きの機器を実現できる。
【発明を実施するための最良の形態】
【００１１】
以下図面について、本発明の実施の形態を詳述する。
【００１２】
（１）第１の実施の形態
（１−１）携帯型音楽再生装置の外観構成
まず、第１の実施の形態について詳述する。図１及び図２（Ａ）〜（Ｆ）において、１は全体として、角部がまるみを帯びた縦長で扁平な略直方体形状の外形を有する携帯型音楽再生装置を示し、この外形を中心より下方の所定位置で上下に二分したときの上部に該たる本体２と、本体２の下端に下方に突出するように設けられたコネクタ３と、外形を二分したときの下部に該たり、本体２の下端に着脱可能でコネクタ３を覆う蓋状のキャップ（以下、これをコネクタ用キャップとも呼ぶ）４とでなる。ちなみに、この携帯型音楽再生装置１の大きさは、手の平に収まる程度の大きさであるとする。
【００１３】
本体２には、その正面２Ａの中央に縦長の液晶パネルまたは有機ＥＬ（Electro Luminescence）パネルなどでなる表示部５が設けられていると共に、この表示部５の上方に、表示部５の表示内容を切り換えるための表示内容切換ボタン６が設けられ、さらにその上方に、音楽を再生または停止するための再生／停止ボタン７が設けられている。また、本体２の一側面２Ｂには、その上部に、音楽を早送りするための早送りボタン８と、巻き戻すための巻き戻しボタン９とが縦に並べて設けられている。
【００１４】
さらに、本体２の背面２Ｃには、その上部の一側面２Ｂ寄りに、音量を上げるための音量＋ボタン１０と下げるための音量−ボタン１１とが縦に並べて設けられていると共に、他側面２Ｄ寄りに、縦長のスライド溝１２と、このスライド溝１２に沿ってスライドするスライドスイッチ１３とが設けられている。このスライドスイッチ１３は、スライド溝１２の一端側にスライドさせられると各種操作ボタン（表示内容切換ボタン６、再生／停止ボタン７、早送りボタン８、巻き戻しボタン９、音量＋ボタン１０及び音量−ボタン１１）に対する操作を有効にし、他端側にスライドさせられると各種操作ボタンに対する操作を無効にする、いわゆるホールドスイッチである。
【００１５】
くわえて、この背面２Ｃの上端には、本体２の上面２Ｅに貫通する、ストラップの紐を通すための貫通孔（以下、これをストラップ用孔とも呼ぶ）１４の一方の口が設けられている。さらに、本体２の上面２Ｅには、その背面２Ｃ寄りにストラップ用孔１４の他方の口が設けられていると共に、中央にイヤホン端子１５が設けられ、このイヤホン端子１５を介してイヤホンＥＰが接続されるようになされている。
【００１６】
一方、コネクタ３には、その下端にオス型口部１６が設けられ、このオス型口部１６を、パーソナルコンピュータなどの外部機器に設けられたコネクタのメス型口部に直接挿入することで、外部機器と接続してデータをやり取りし得るようになされている。
【００１７】
実際上、このコネクタ３を使用して外部機器と接続するときには、図３に示すように、コネクタ用キャップ４を本体２から取り外すことでコネクタ３を外部に露出させ、これに対してこのコネクタ３を使用しないときには、コネクタ用キャップ４を本体２に取り付けることで、このコネクタ用キャップ４でコネクタ３を覆って保護するようになされている。
【００１８】
（１−２）携帯型音楽再生装置の回路構成
つづいて、上述した外観構成をなす携帯型音楽再生装置１の回路構成について、図４を用いて説明する。携帯型音楽再生装置１は、制御部２０が、例えばフラッシュメモリでなる記憶部２１から読み出したプログラムに従って全体を統括的に制御すると共に各種処理を実行するようになされている。また、この携帯型音楽再生装置１は、コネクタ３を介して外部機器と接続されたときに、この外部機器から転送されてくる圧縮符号化された音楽データを記憶部２１に記憶するようになされ、さらに、この外部機器との接続時、コネクタ３を介して外部機器より供給される電源により図示しない内蔵のバッテリを充電するようにもなされている。
【００１９】
この携帯型音楽再生装置１の制御部２０は、外部機器と接続されていない状態で、各種操作ボタン及びスイッチである操作部２２を介して、音楽データを再生する操作（以下、これを再生操作とも呼ぶ）が行われたことを認識すると、これに応じて記憶部２１から音楽データを読み出し、これを音声処理部２３に入力する。
【００２０】
音声処理部２３は、音楽データに対して復号処理及び増幅処理などの所定の音声処理を施すことで音楽信号を得、この音楽信号をイヤホン端子１５に送出する。この結果、このイヤホン端子１５に接続されたイヤホンＥＰから音楽信号に基づく音楽が放音される。
【００２１】
このようにして、携帯型音楽再生装置１は、記憶部２１に記憶されている音楽データを再生するようになされている。
【００２２】
また、このような音楽データの再生時、携帯型音楽再生装置１の制御部２０は、音楽データに付加されている音楽データに関する情報（例えば、音楽のタイトル、アーティスト名、ジャンルなど）や、現在の音量を示す情報、バッテリの残容量を示す情報などの各種情報を、表示部５に表示するようにもなされている。ちなみに、この表示部５は、例えば、その表示領域が横一行十数文字程度の情報を表示し得る大きさであり、一度に表示できない情報については、制御部２０の制御により、スクロールさせて表示したり、切り換えて表示するようになされている。
【００２３】
（１−３）携帯型音楽再生装置の収納ケースの構成
次に、上述した携帯型音楽再生装置１を収納する収納ケースについて図５、図６（Ａ）〜Ｇ、及び図７（Ａ）、（Ｂ）を用いて説明する。収納ケース３０は、厚さ数ミリ程度の薄皮状で携帯型音楽再生装置１の外形のほぼ全体を覆う形状でなるシリコンゴム製のケースであり、携帯型音楽再生装置１を収納したときに、本体２に密着してこの本体２を覆う部分（以下、これを本体収納部とも呼ぶ）３１と、本体２に取り付けられた状態のコネクタ用キャップ４に密着してこのコネクタ用キャップ４を覆う部分（以下、これをコネクタ収納部とも呼ぶ）３２とが一体成形されてなる。
【００２４】
このようにこの収納ケース３０は、一体成形された本体収納部３１とコネクタ収納部３２とで、携帯型音楽再生装置１の外形のほぼ全体を覆うようになされていることにより、例えば、携帯時にコネクタ用キャップ４が脱落して、コネクタ３が露出してしまうことを防止し得るようになされている。
【００２５】
本体収納部３１は、その正面（つまり携帯型音楽再生装置１を収納したときに本体２の正面２Ａを覆う面であり、ケース本体正面とも呼ぶ）３１Ａの中央に、携帯型音楽再生装置１を収納したときに表示部５を露出させるための孔（以下、これを表示部露出孔とも呼ぶ）３３が設けられていると共に、携帯型音楽再生装置１を収納したときに表示内容切換ボタン６を覆う部分が表示内容切換ボタン６の形状に合わせて周辺部より盛り上げられ、さらに携帯型音楽再生装置１を収納したときに再生／停止ボタン７を覆う部分が再生／停止ボタン７の形状に合わせて周辺部より盛り上げられている。
【００２６】
また、本体収納部３１の一側面（つまり携帯型音楽再生装置１を収納したときに本体２の一側面２Ｂを覆う面であり、ケース本体一側面とも呼ぶ）３１Ｂは、携帯型音楽再生装置１を収納したときに早送りボタン８を覆う部分が早送りボタン８の形状に合わせて周辺部より盛り上げられていると共に、携帯型音楽再生装置１を収納したときに巻き戻しボタン９を覆う部分が巻き戻しボタン９の形状に合わせて周辺部より盛り上げられている。
【００２７】
さらに、本体収納部３１の背面（つまり携帯型音楽再生装置１を収納したときに本体２の背面２Ｃを覆う面であり、ケース本体背面とも呼ぶ）３１Ｃは、携帯型音楽再生装置１を収納したときに音量＋ボタン１０を覆う部分が音量＋ボタン１０の形状に合わせて周辺部より盛り上げられていると共に、携帯型音楽再生装置１を収納したときに音量−ボタン１１を覆う部分が音量−ボタン１１の形状に合わせて周辺部より盛り上げられ、さらにこのケース本体背面３１Ｃには、携帯型音楽再生装置１を収納したときにスライド溝１２及びスライドスイッチ１３を露出させるための孔（以下、これをスライドスイッチ露出孔とも呼ぶ）３４と、ストラップ用孔１４の一方の口を露出させるための孔（以下、これをストラップ用孔露出孔とも呼ぶ）３５とが設けられている。
【００２８】
さらに、本体収納部３１の上面（つまり携帯型音楽再生装置１を収納したときに本体２の上面２Ｅを覆う面であり、ケース本体上面）３１Ｅには、携帯型音楽再生装置１を収納したときにストラップ用孔１４の他方の口及びイヤホン端子１５を露出させるための孔（イヤホン端子露出孔とも呼ぶ）３６が設けられている。
【００２９】
このように収納ケース３０には、表示部露出孔３３が設けられていることにより、携帯型音楽再生装置１を収納したときでも表示部５をユーザに視認させることができ、またスライドスイッチ露出孔３４が設けられていることにより、携帯型音楽再生装置１を収納したときでもスライドスイッチ１３をユーザに操作させることができ、さらにストラップ用孔露出孔３５及びイヤホン端子露出孔３６が設けられていることにより、携帯型音楽再生装置１を収納したままの状態で、携帯型音楽再生装置１にストラップ及びイヤホンＥＰを取り付けることができるようになされている。
【００３０】
またこの収納ケース３０は、各種操作ボタンを覆う部分が、各種操作ボタンの形状に合わせて盛り上げられていることにより、携帯型音楽再生装置１を収納したときでも、各種操作ボタンの位置をユーザに対して容易に認識させることができると共に、収納ケース３０の押圧により各種操作ボタンが誤操作されることを防止することができるようになされている。
【００３１】
このような構成にくわえて、この収納ケース３０には、本体収納部３１とコネクタ収納部３２との境界部分に、横長の略レーストラック形状の開口部３７が、収納ケース３０の背面３０Ａから一側面３０Ｂ及び他側面３０Ｃに跨がるようにして設けられている。この開口部３７は、本体収納部３１側の上縁３７Ａとコネクタ収納部３２側の下縁３７Ｂとの間隔が、携帯型音楽再生装置１の厚さ以上となるように形成されており、携帯型音楽再生装置１を収納ケース３０に収納するときの挿入口となっている。つまり、携帯型音楽再生装置１は、本体２の上面２Ｅから、収納ケース３０の開口部３７に挿入されるようにしてこの収納ケース３０に収納されるようになされている。
【００３２】
また、図８（Ａ）及び（Ｂ）に示すように、収納ケース３０に携帯型音楽再生装置１が収納されているときの開口部３７は、コネクタ収納部３２に対してコネクタ収納部３２を収納ケース３０の正面側にめくるような力が加えられたときに、コネクタ収納部３２がコネクタ用キャップ４から剥離するようにしてコネクタ用キャップ４を外部に露出させるための露出孔ともなる。ここで、この開口部３７は、上縁３７Ａと下縁３７Ｂとの間隔が、手の指の腹が入る程度の大きさでもあり、ユーザに対して、下縁３７Ｂに手の指の腹を引っ掛けるようにしてコネクタ収納部３２をめくらせることができるようになされている。
【００３３】
このように、この収納ケース３０は、携帯型音楽再生装置１を収納しているとき、コネクタ収納部３２に対してコネクタ収納部３２をめくるような力が加えられると、コネクタ用キャップ４を開口部３７から外部に露出させることで、コネクタ用キャップ４を本体２から取り外せる状態にすることができる。そしてこのとき、図８（Ｃ）に示すように、コネクタ用キャップ４が本体２から取り外されると、携帯型音楽再生装置１は、収納ケース３０に収納されたまま、コネクタ３を露出した状態となる。
【００３４】
つまり、収納ケース３０は、携帯型音楽再生装置１を収納しているときに、コネクタ収納部３２に対してコネクタ収納部３２をめくるような力が加えられると、コネクタ用キャップ４を開口部３７から外部に露出させて、このコネクタ用キャップ４を本体２から取り外せる状態にすることができ、結果として、携帯型音楽再生装置１を収納したままの状態で、コネクタ３を露出させて、外部機器と接続させることができるようになされている。
【００３５】
そして、この収納ケース３０は、例えば、コネクタ収納部３２に加えられていた力がなくなると、コネクタ収納部３２のめくりが元に戻ることで、再びコネクタ収納部３２によってコネクタ用キャップ４を覆うようになされている。
【００３６】
（１−４）第１の実施の形態による動作及び効果
以上の構成において、収納ケース３０は、携帯型音楽再生装置１の本体２を覆う形状の本体収納部３１と、本体２の下端に取り付けられた状態のコネクタ用キャップ４を覆う形状のコネクタ収納部３２とで、携帯型音楽再生装置１のほぼ全体を覆うようにして携帯型音楽再生装置１を収納する。これにより、この収納ケース３０は、携帯型音楽再生装置１を収納したときに、携帯型音楽再生装置１のほぼ全体を保護することができる。
【００３７】
また、この収納ケース３０は、携帯型音楽再生装置１を収納しているときに、コネクタ収納部３２に対してコネクタ収納部３２をめくるような力が加えられると、コネクタ収納部３２がコネクタ用キャップ４から剥離するようにしてコネクタ用キャップ４を開口部３７から外部に露出させる。これにより、この収納ケース３０は、コネクタ用キャップ４を本体２から取り外せる状態にすることができ、結果として、携帯型音楽再生装置１を収納したままの状態で、コネクタ３を使用するときだけ容易にコネクタ３を外部に露出させることができる。
【００３８】
さらに、この収納ケース３０は、開口部３７が、横長の略レーストラック形状（つまり角がない形状）であることにより、コネクタ用キャップ４を露出させるときに開口部３７に加わる力が開口部３７の一部分に集中することを防いで開口部３７が裂けるのを防止することができ、結果として、収納ケース３０の破損を防止することができる。
【００３９】
以上の構成によれば、この収納ケース３０は、携帯型音楽再生装置１の本体２を覆う本体収納部３１と、本体２の下端に取り付けられた状態のコネクタ用キャップ４を覆うコネクタ収納部３２とが一体成形されていることにより、携帯型音楽再生装置１のほぼ全体を保護することができ、また、コネクタ収納部３２に対してコネクタ収納部３２をめくるような力が加えられたときにコネクタ用キャップ４を本体２から取り外せるように外部に露出させる開口部３７が設けられていることにより、コネクタ３を必要なときだけ容易に露出させることができ、くわえて、開口部３７が、角がない形状であることにより、コネクタ３を露出するときに開口部３７に加わる力が開口部３７の一部分に集中することを防いで開口部３７が裂けるのを防止することができ、かくして携帯型音楽再生装置１をより確実に保護し得ると共に、コネクタ３使用時の利便性を向上させることができる。
【００４０】
（２）第２の実施の形態
（２−１）携帯型記憶装置の外観構成
次に、第２の実施の形態について詳述する。図９及び図１０（Ａ）〜（Ｆ）において、４０は全体として、角部がまるみを帯びた縦長で扁平な略直方体形状の外形を有する携帯型記憶装置を示し、この外形を中心より下方の所定位置で上下に二分したときの上部に該たる本体４１と、本体４１の下端に下方に突出するように設けられたコネクタ４２と、外形を二分したときの下部に該たり、本体４１の下端に着脱可能でコネクタ４２を覆う蓋状のコネクタ用キャップ４３とでなる。ちなみに、この携帯型記憶装置４０の大きさは、手の平に収まる程度の大きさであるとする。
【００４１】
本体４１には、その背面４１Ａの上端に、本体４１の上面４１Ｂに貫通する、ストラップの紐を通すためのストラップ用孔４４の一方の口が設けられ、また、上面４１Ｂの背面４１Ａ寄りに、このストラップ用孔４４の他方の口が設けられている。
【００４２】
一方、コネクタ４２には、その下端にオス型口部４５が設けられ、このオス型口部４５を、パーソナルコンピュータなどの外部機器に設けられたコネクタのメス型口部に直接挿入することで、外部機器と接続してデータをやり取りし得るようになされている。
【００４３】
実際上、このコネクタ４２を使用して外部機器と接続するときには、図１１に示すように、コネクタ用キャップ４３を本体４１から取り外すことでコネクタ４２を外部に露出させ、これに対してこのコネクタ３を使用しないときには、コネクタ用キャップ４３を本体４１に取り付けることで、このコネクタ用キャップ４３でコネクタ４２を覆って保護するようになされている。
【００４４】
（２−２）携帯型記憶装置の回路構成
つづいて、上述した外観構成をなす携帯型記憶装置４０の回路構成について、図１２を用いて説明する。携帯型記憶装置４０は、例えば、コネクタ４２を介して外部機器と接続されたときに、この外部機器から供給される電源により起動するようになされ、このとき制御部５０が、例えばフラッシュメモリでなる記憶部５１から読み出したプログラムに従って全体を統括的に制御すると共に各種処理を実行するようになされている。
【００４５】
すなわち、制御部５０は、データの書き込みを要求する書込要求信号をコネクタ４２を介して外部機器から受信すると、この書込要求信号と共に外部機器から送信されてくるデータを記憶部５１に書き込んで記憶するようになされ、また、データの読み出しを要求する読出要求信号をコネクタ４２を介して外部機器から受信すると、この読出要求信号により指定されたデータを記憶部５１から読み出して、コネクタ４２を介して外部機器に送信するようになされている。
【００４６】
このようにして、携帯型記憶装置４０は、コネクタ４２を介して接続された外部機器からの書込要求に応じて、外部機器から受信したデータを記憶部２１に記憶すると共に、読出要求に応じて、外部機器より指定されたデータを記憶部２１から読み出して外部機器に送信するようになされている。
【００４７】
（２−３）携帯型記憶装置の収納ケースの構成
次に、上述した携帯型記憶装置４０を収納する収納ケースについて図１３、図１４（Ａ）〜Ｇ、及び図１５（Ａ）、（Ｂ）を用いて説明する。収納ケース６０は、厚さ数ミリ程度の薄皮状で携帯型記憶装置４０の外形のほぼ全体を覆う形状でなるシリコンゴム製のケースであり、携帯型記憶装置４０を収納したときに、本体４１に密着してこの本体４１を覆う部分となる本体収納部６１と、本体４１に取り付けられた状態のコネクタ用キャップ４３に密着してこのコネクタ用キャップ４３を覆う部分となるコネクタ収納部６２とが一体成形されてなる。
【００４８】
このようにこの収納ケース６０は、一体成形された本体収納部６１とコネクタ収納部６２とで、携帯型記憶装置４０の外形のほぼ全体を覆うようになされていることにより、例えば、携帯時にコネクタ用キャップ４３が脱落して、コネクタ４２が露出してしまうことを防止し得るようになされている。
【００４９】
この収納ケース６０の本体収納部６１には、その背面（つまり携帯型記憶装置４０を収納したときに本体４１の背面４１Ａを覆う面であり、ケース本体背面とも呼ぶ）６１Ａに、携帯型記憶装置４０を収納したときにストラップ用孔４４の一方の口を露出させるためのストラップ用孔露出孔６３Ａが設けられ、また、上面（つまり携帯型記憶装置４０を収納したときに本体４１の上面４１Ｂを覆う面であり、ケース本体上面とも呼ぶ）６１Ｂに、ストラップ用孔４４の他方の口を露出させるためのストラップ用孔露出孔６３Ｂが設けられている。
【００５０】
このように、この収納ケース６０には、携帯型記憶装置４０のストラップ用孔４４の一方及び他方の口を露出させるためのストラップ用孔露出孔６３Ａ及び６３Ｂが設けられていることにより、携帯型記憶装置４０を収納したままの状態で、携帯型記憶装置４０にストラップを取り付けることができるようになされている。
【００５１】
このような構成にくわえて、この収納ケース６０には、本体収納部６１とコネクタ収納部６２との境界部分に、横長の略レーストラック形状の開口部６４が、収納ケース６０の背面６０Ａから一側面６０Ｂ及び他側面６０Ｃに跨がるようにして設けられている。この開口部６４は、本体収納部６１側の上縁６４Ａとコネクタ収納部６２側の下縁６４Ｂとの間隔が、携帯型記憶装置４０の厚さ以上となるように形成されており、携帯型記憶装置４０を収納ケース６０に収納するときの挿入口となっている。つまり、携帯型記憶装置４０は、本体４１の上面４１Ｂから、収納ケース６０の開口部６４に挿入されるようにしてこの収納ケース６０に収納されるようになされている。
【００５２】
また、図１６（Ａ）及び（Ｂ）に示すように、収納ケース６０に携帯型記憶装置４０が収納されているときの開口部６４は、コネクタ収納部６２に対してコネクタ収納部６２を収納ケース６０の正面側にめくるような力が加えられたときに、コネクタ収納部６２がコネクタ用キャップ４３から剥離するようにしてコネクタ用キャップ４３を外部に露出させるための露出孔ともなる。ここで、この開口部６４は、上縁６４Ａと下縁６４Ｂとの間隔が、手の指の腹が入る程度の大きさでもあり、ユーザに対して、下縁６４Ｂに手の指の腹を引っ掛けるようにしてコネクタ収納部６２をめくらせることができるようになされている。
【００５３】
このように、この収納ケース６０は、携帯型記憶装置４０を収納しているとき、コネクタ収納部６２に対してコネクタ収納部６２をめくるような力が加えられると、コネクタ用キャップ４３を開口部６４から外部に露出させることで、コネクタ用キャップ４３を本体４１から取り外せる状態にすることができる。そしてこのとき、図１６（Ｃ）に示すように、コネクタ用キャップ４３が本体４１から取り外されると、携帯型記憶装置４０は、収納ケース６０に収納されたまま、コネクタ４２を露出した状態となる。
【００５４】
つまり、収納ケース６０は、携帯型記憶装置４０を収納しているときに、コネクタ収納部６２に対してコネクタ収納部６２をめくるような力が加えられると、コネクタ用キャップ４３を開口部６４から外部に露出させて、このコネクタ用キャップ４３を本体４１から取り外せる状態にすることができ、結果として、携帯型記憶装置４０を収納したままの状態で、コネクタ４２を露出させて、外部機器と接続させることができるようになされている。
【００５５】
以上の構成によれば、この収納ケース６０は、携帯型記憶装置４０の本体４１を覆う本体収納部６１と、本体４１の下端に取り付けられた状態のコネクタ用キャップ４３を覆うコネクタ収納部６２とが一体成形されていることにより、携帯型記憶装置４０のほぼ全体を保護することができ、また、コネクタ収納部６２に対してコネクタ収納部６２をめくるような力が加えられたときにコネクタ用キャップ４３を本体４１から取り外せるように外部に露出させる開口部６４が設けられていることにより、コネクタ４２を必要なときだけ容易に露出させることができ、くわえて、開口部６４が、角がない形状をなしていることにより、コネクタ４２を露出するときに開口部６４に加わる力が開口部６４の一部分に集中することを防いで開口部６４が裂けるのを防止することができ、かくして携帯型記憶装置４０をより確実に保護し得ると共に、コネクタ４２使用時の利便性を向上させることができる。
【００５６】
（３）他の実施の形態
尚、上述の第１の実施の形態では、携帯型音楽再生装置１が、本体２と、本体２の下端に突設されたコネクタ３と、本体２の下端に着脱可能なコネクタ用キャップ４とで構成されるようにした場合について述べたが、本発明は、これに限らず、携帯型音楽再生装置１が、本体２と、本体２の下端に突設されたコネクタ３のみで構成されるようにしてもよい。
【００５７】
このようにコネクタ用キャップ４のない構成の携帯型音楽再生装置１であっても、収納ケース３０に収納されることで、この収納ケース３０のコネクタ収納部３２によりコネクタ３を保護することができる。また、この場合、コネクタ収納部３２に対してコネクタ収納部３２をめくるような力が加えられたときに、直接、コネクタ３を開口部３７から外部に露出させることができるので、コネクタ３使用時の利便性を一段と向上させることもできる。さらに、このようなコネクタ用キャップ４のない構成の携帯型音楽再生装置１を収納する場合、収納ケース３０のコネクタ収納部３２を、コネクタ３に密着してコネクタ３を覆う形状にすれば、コネクタ３をより確実に保護することもできる。ちなみに、これらの点に関しては、第２の実施の形態でも同様である。
【００５８】
また、上述の第１の実施の形態では、収納ケース３０の背面３０Ａから一側面３０Ｂ及び他側面３０Ｃに跨がるようにして設けられた開口部３７の形状を、横長の略レーストラック形状にした場合について述べたが、本発明はこれに限らず、角がない（尖部のない）形状であれば、円形状、楕円形状、曲線のみで構成される形状、直線と曲線とで構成される形状など、この他種々の滑らかな縁でなる形状を、開口部３７の形状として用いるようにしてもよい。さらに、この開口部３７が、背面３０Ａから一側面３０Ｂ及び他側面３０Ｃに跨がるようにしてではなく、例えば、背面３０Ａ、一側面３０Ｂ、他側面３０Ｃのいずれかに設けられるようにしてもよいし、一側面３０Ｂから正面及び背面３０Ａに跨がるように設けられるようにしてもよく、要は、コネクタ収納部３２に対して所定の外力が加えられたときに、コネクタ収納部３２がコネクタ用キャップ４から剥離するようにしてコネクタ用キャップ４を外部に露出させることができる位置及び大きさで形成されていればよい。
【００５９】
くわえて、この開口部３７の縁を、収納ケース３０の他の部分より厚く形成するようにしてもよい。このように縁を厚くすれば、その分、縁の強度が増して、開口部３７が裂けるのを一段と防止することができる。この場合、縁全体を厚くするばかりでなく、縁の一部のみを厚くするようにしてもよい。例えば、コネクタ収納部３２をめくるときにユーザが手の指の腹を引っ掛ける部分となる下縁３７Ｂを厚くすれば、この下縁３７Ｂに指が引っ掛かり易くして、コネクタ収納部３２をめくり易くすることもできる。また、この厚くした部分に溝を設けるなどして、指を滑りにくくさせてもよい。ちなみに、これらの点に関しては、第２の実施の形態でも同様である。
【００６０】
さらに上述の第１の実施の形態では、収納ケース３０の開口部３７を挿入口として、ここから、携帯型音楽再生装置１を挿入することで、携帯型音楽再生装置１を収納ケース３０に収納するようにした場合について述べたが、本発明はこれに限らず、予め携帯型音楽再生装置１が収納ケース３０に収納された状態で、収納ケース付き携帯型音楽再生装置１として出荷されるようになされていてもよい。ちなみに、この点に関しては、第２の実施の形態でも同様である。
【００６１】
さらに、上述の第１の実施の形態では、携帯型音楽再生装置１の外形を、角部がまるみを帯びた縦長で扁平な略直方体形状とした場合について述べたが、本発明はこれに限らず、本体２の端部にコネクタ３が設けられた形状であれば、円柱状、立方体形状など、この他種々の形状を、携帯型音楽再生装置１の形状として用いるようにしてもよい。ちなみに、この点に関しては、第２の実施の形態でも同様である。
【００６２】
さらに上述の第１及び第２の実施の形態では、収納ケース３０及び６０の材質として、シリコンゴムを用いるようにした場合について述べたが、本発明はこれに限らず、人の力で容易に形状を変形させ得ると共に、変形させた後にまた元の形状に戻るような材質であれば、アクリルゴム、ウレタンゴムなど、この他種々の材質を、収納ケース３０及び６０の材質として用いるようにしてもよい。
【００６３】
さらに、上述の第１及び第２の実施の形態では、本発明を、機器としての携帯型音楽再生装置１及びその収納ケース３０、機器としての携帯型記憶装置４０及びその収納ケース６０に適用した場合について述べたが、本発明はこれに限らず、本体の端部にコネクタが設けられた機器及びその収納ケースであれば、例えば、携帯型ゲーム機、携帯型電話機、デジタルスチルカメラなど、この他種々の機器及びその収納ケースに適用するようにしてもよい。また、例えばＵＳＢ（Universal Serial Bus）ケーブルなどのケーブル及びそのコネクタ部分の収納ケースに適用するようにしてもよい。
【産業上の利用可能性】
【００６４】
本発明は、コネクタを有する機器を収納する収納ケースに広く利用することができる。
【図面の簡単な説明】
【００６５】
【図１】携帯型音楽再生装置の外観構成（１）を示す略線図である。
【図２】携帯型音楽再生装置の外観構成（２）を示す略線図である。
【図３】第１の実施の形態によるコネクタ用キャップの取り外しの様子を示す略線図である。
【図４】携帯型音楽再生装置の回路構成を示すブロック図である。
【図５】第１の実施の形態による収納ケースの構成（１）を示す略線図である。
【図６】第１の実施の形態による収納ケースの構成（２）を示す略線図である。
【図７】第１の実施の形態による収納ケースの構成（３）を示す略線図である。
【図８】第１の実施の形態によるコネクタを露出する手順を示す略線図である。
【図９】携帯型記憶装置の外観構成（１）を示す略線図である。
【図１０】携帯型記憶装置の外観構成（２）を示す略線図である。
【図１１】第２の実施の形態によるコネクタ用キャップの取り外しの様子を示す略線図である。
【図１２】携帯型記憶装置の回路構成を示すブロック図である。
【図１３】第２の実施の形態による収納ケースの構成（１）を示す略線図である。
【図１４】第２の実施の形態による収納ケースの構成（２）を示す略線図である。
【図１５】第２の実施の形態による収納ケースの構成（３）を示す略線図である。
【図１６】第２の実施の形態によるコネクタを露出する手順を示す略線図である。
【符号の説明】
【００６６】
１……携帯型音楽再生装置、２、４１……本体、３、４２……コネクタ、４、４３……コネクタ用キャップ、５……表示部、６……表示内容切換ボタン、７……再生／停止ボタン、８……早送りボタン、９……巻き戻しボタン、１０……音量＋ボタン、１１……音量−ボタン、１２……スライド溝、１３……スライドスイッチ、１４、４４……ストラップ用孔、１５……イヤホン端子、１６、４５……オス型口部、３０、６０……収納ケース、３１、６１……本体収納部、３２、６２……コネクタ収納部、３３……表示部露出孔、３４……スライドスイッチ露出孔、３５、６３Ａ、６３Ｂ……ストラップ用孔露出孔、３６……イヤホン端子露出孔、３７、６４……開口部、３７Ａ、６４Ａ……上縁、３７Ｂ、６４Ｂ……下縁、４０……携帯型記憶装置。
【図１】
2007281632.tif 000003
【図２】
2007281632.tif 000004
【図３】
2007281632.tif 000005
【図４】
2007281632.tif 000006
【図５】
2007281632.tif 000007
【図６】
2007281632.tif 000008
【図７】
2007281632.tif 000009
【図８】
2007281632.tif 000010
【図９】
2007281632.tif 000011
【図１０】
2007281632.tif 000012
【図１１】
2007281632.tif 000013
【図１２】
2007281632.tif 000014
【図１３】
2007281632.tif 000015
【図１４】
2007281632.tif 000016
【図１５】
2007281632.tif 000017
【図１６】
2007281632.tif 000018